(57)【要約】【課題】照射効率が良く、メンテナンス性に優れ、濃度むらの少ない画像読取りを行うことができる原稿照明装置、走査光学ユニット、画像読取装置および画像形成装置を提供すること。【解決手段】遮蔽部材４２、カバー部材４３および光拡散部材８１の何れか１つの部材に形成された嵌合突起と、遮蔽部材４２、カバー部材４３および光拡散シート８１の残りの部材にそれぞれ形成され嵌合突起と嵌合する嵌合穴とを有し、嵌合突起と嵌合穴が嵌合することにより、遮蔽部材４２、カバー部材４３および光拡散シート８１の相対的位置を一義的に決定する。【選択図】図７
2011087122.tif 000002
【特許請求の範囲】
【請求項１】
光源と、前記光源から光を原稿が載置される載置面に導く導光部材と、前記光源から前記載置面までの光路上に配置され、前記光源または前記導光部材からの光を拡散する光拡散部材と、前記導光部材を支持する支持部材とを備えた原稿照明装置において、
前記支持部材を、前記導光部材が取付けられる第１の対向面を有する第１の支持部材と、前記第１の支持部材と別体に設けられ、前記第１の対向面に対向して前記導光部材が取付けられた第２の対向面を有する第２の支持部材とから構成し、
前記第１の支持部材、前記第２の支持部材および前記光拡散部材の相対的位置を一義的に決定する共通の位置決め手段を設けたことを特徴とする原稿照明装置。
【請求項２】
請求項１に記載の原稿照明装置を備えた走査光学ユニットであって、
前記位置決め手段は、複数の嵌合穴と、該複数の嵌合穴が重ね合わされた状態で該複数の嵌合穴それぞれと嵌合する嵌合突起とで構成されることを特徴とする走査光学ユニット。
【請求項３】
請求項１または２に記載の原稿照明装置を備えた走査光学ユニットであって、
前記第１の支持部材に設けられた前記位置決め手段と同じ面に形成され、前記光拡散部材を前記第１の支持部材に固定する固定手段を有し、
前記光拡散部材を前記第１の支持部材に固定した状態で一体的に着脱可能且つ前記第２の支持部材の前記位置決め手段に対して位置決めすることを特徴とする走査光学ユニット。
【請求項４】
請求項２または請求項３に記載の走査光学ユニットを備えた画像読取装置であって、
前記原稿照明装置を副走査方向に移動させる駆動手段を備えたことを特徴とする画像読取装置。
【請求項５】
請求項４に記載の画像読取装置を備えた画像形成装置であって、
前記読取手段によって読み取った画像を記録媒体上に形成する画像形成手段を有することを特徴とする画像形成装置。
【発明の詳細な説明】
【技術分野】
【０００１】
本発明は、原稿照明装置、走査光学ユニット、画像読取装置および画像形成装置に関し、例えば、原稿に光を照射する原稿照明装置、この原稿照明装置を備えた走査光学ユニット、この走査光学ユニットを備えた複写機、ファクシミリ装置、イメージスキャナ等に使用される画像読取装置およびこの画像読取装置を備えた画像形成装置に関する。
【背景技術】
【０００２】
複写機、ファクシミリ装置、イメージスキャナ等の画像読取装置にあっては、光源の立ち上がりのスピード、省エネルギー化、長寿命化の要望があり、光源として発光ダイオード（ＬＥＤ）を用いた原稿照明装置が採用されている。
【０００３】
ところが、点光源と見なせるほど小さい発光面を備える発光ダイオードだけで照明系を構成すると、光量が低下するほか副走査方向に均一な照度分布形状が得られないことになるため、発光ダイオードからの光を導く導光部材を採用する必要がある。
【０００４】
すなわち、画像形成装置として、モノクロ、フルカラー、ＭＦＰ等のデジタル複写機、汎用スキャナー等の高画質を要求している画像読取装置、アナログ複写機においては、ＬＥＤ等の光源と導光部材の最適化を図り、光を効率良く集め、かつ、均一な照度分布を得る必要がある。
【０００５】
このような原稿照明装置としては、コンタクトガラスの下方から照明する光を出射するライン状に配列された複数の点光源と、点光源から出射される光の射出方向前方に位置付けられ、点光源から出射された光をコンタクトガラス上の原稿に向けて主走査方向に沿って照明するように導光する導光部材を有し、この導光部材に、ライン状に配列された点光源のそれぞれと導光部材との間隔が一定となるように位置決めするとともに、点光源の配列方向が導光部材の長手方向に沿って一致するように位置決めする位置決め手段を設けたものがある（例えば、特許文献１参照）。
【０００６】
この原稿照明装置にあっては、導光部材が位置決め手段を有するので、点光源と導光部材の位置決めの最適化を図ることができ、点光源から出射された光を導光部材に均等に入射させて、点光源から出射された光を導光部材に効率良く集め、原稿に対して均一な照度分布で照射させることができる。
【０００７】
ところが、このような構成を有する原稿照明装置にあっては、本等を開いてコンタクトガラス上に載置すると、本等の構造上必然的に頁間部分が浮いてしまうため、この浮いた頁間部分がコンタクトガラスに対して角度を持ってしまう。また、厚みの有する原稿をコンタクトガラスに載置すると、原稿とコンタクトガラス間に段差が生じてしまう。
【０００８】
この角度を持って浮いた部分や段差は、一方向からの照明では全体を照明することができず、影ができてしまうため、原稿の読取時に黒い影が読み取られてしまうという不具合が発生してしまった。
【０００９】
このような不具合を解消するものとしては、原稿面に光を照射するためのＬＥＤと、ＬＥＤが装着され、ＬＥＤから出射された光を長さと幅を有する読取対象領域に導く原稿照明装置と、原稿面から反射された光を結像する結像光学系と、結像光学系の結像部に設けられ、原稿面上の原稿の画像を読み取るセンサとを有する画像読取装置において、原稿照明装置が、集光作用を有する光学部材と、複数の反射板（導光部材に相当）とを有し、原稿照明装置の部材設置領域を、原稿面に垂直で、ＬＥＤから出射された光の長さ方向に平行であり、かつ読取対象領域を通過する仮想平面によって２つの区画に分割したときに、複数の反射板が各区画に少なくとも１つずつ設置されるようにしたものがある（例えば、特許文献２参照）。
【００１０】
このような画像読取装置にあっては、原稿面の浮きによる影部分の発生を防止することができ、なおかつ小型で集光の度合いを弱める事の無い高い光利用効率の原稿照明装置を得ることができる。
【００１１】
ところが、光源としてＬＥＤ等の点光源を使用する場合には、複数の点光源を主走査方向（読取ライン方向）に直線状に配列する構成をとるため、各点光源から出射された光を原稿面などの読取面に直接照射すると、主走査方向において照度リップル（照度分布のムラ）が生じ、読み取った画像データに応じて画像形成した場合に照度リップルが原因となる画像濃度ムラが発生する。
【００１２】
このような照射リップルが生じるのを防止するために、ＬＥＤと原稿面との間に光拡散部材を設置し、ＬＥＤから出射された光を光拡散部材によって拡散することにより、照明リップルを抑制して照度分布を均一にするようにした原稿照明装置が知られている（例えば、特許文献３参照）。
【００１３】
この原稿照明装置は、直線状に配列された複数のＬＥＤと、ＬＥＤから出射された光の出射方向前方に配置され、ＬＥＤから出射された光をＬＥＤの配列方向と直交する方向に集光させる集光体（導光部材に相当）と、ＬＥＤから出射された光が照明対象物に至るまでの光路上に配置され、この光をランダムに拡散する光拡散部材とを備えている。
【００１４】
この原稿照明装置は、光拡散部材を集光体の集光面に取付け、この集光体が反射板を兼用する支持部材に挟み込まれるようにして支持されるようになっている。なお、集光する際の照明効率においては、特許文献１または特許文献３に記載されているような導光部材を採用するよりも、特許文献２に記載されているような反射板を採用した方が、外部に逃げる光が少ないため望ましい。
【発明の概要】
【発明が解決しようとする課題】
【００１５】
しかしながら、特許文献３に記載された原稿照明装置にあっては、支持部材と集光体との間に位置決め手段がないので、拡散面の位置精度が低く、例えば、本来は図１２に示す位置にあるべき集光体１２３の拡散面１２２が、組付け不良等により、図１３に示すようにコンタクトガラス１２６に近い位置に変位してしまった場合、拡散面１２２の変位により照度分布１２５が崩れてしまう恐れがあった。
【００１６】
すなわち、図１２、図１３に示すように、ＬＥＤ１２４の光を、反射板を兼ねる支持部材１２１により反射させながら集光体１２３により集光させて、拡散面１２２からコンタクトガラス１２６上の図示しない原稿に照射し、反射光１２８を読取第一ミラー１２７により図示しない撮像素子に向って導くように構成されている場合、図１２に示すように、拡散面１２２が適切な位置にあれば、読取光軸Ｌの近傍の照射領域Ｗ１に対して均一な照度分布１２５を得ることができるが、図１３に示すように、拡散面１２２が不適切な位置に変位してしまった場合、照射領域Ｗ１に対する照度分布１２５が不均一になってしまっていた。
【００１７】
本発明はこのような課題を解決するためになされたもので、照射効率が良く、メンテナンス性に優れ、濃度むらの少ない画像読取りができる原稿照明装置、走査光学ユニット、画像読取装置および画像形成装置を提供することを目的とする。
【課題を解決するための手段】
【００１８】
本発明の原稿照明装置は、上記目的を達成するため、光源と、前記光源から光を原稿の照射領域に導く導光部材と、前記光源から原稿の照射領域までの光路上に配置され、前記光源からの光を拡散する光拡散部材と、前記導光部材を支持する支持部材とを備えた原稿照明装置において、前記支持部材を、前記導光部材が取付けられる第１の対向面を有する第１の支持部材と、前記第１の支持部材と別体に設けられ、前記第１の対向面に対向して前記導光部材が取付けられた第２の対向面を有する第２の支持部材とから構成し、前記第１の支持部材、前記第２の支持部材および前記光拡散部材の何れか１つの部材に形成された嵌合突起と、前記第１の支持部材、前記第２の支持部材および前記光拡散部材の残りの部材にそれぞれ形成され前記嵌合突起と嵌合する嵌合穴とから構成され、前記嵌合突起と前記嵌合穴が嵌合することにより、前記第１の支持部材、前記第２の支持部材および前記光拡散部材の相対的位置を一義的に決定するとともに、前記第１の支持部材、前記第２の支持部材および前記光拡散部材を固定する位置決め手段を設けたことを特徴とする。
【００１９】
この構成により、組付け時には、第１の支持部材、第２の支持部材および光拡散部材の嵌合突起および嵌合穴を嵌合することにより、第１の支持部材、第２の支持部材および光拡散部材の相対的位置関係が一義的に決定されて固定されるので、照射領域において照明リップルを抑制して副走査方向の均一な照度分布を得ることができ、濃度むらの少ない画像読取りを行うことができる。
【００２０】
また、光源からの光が、第１の支持部材と第２の支持部材とにより閉じられた空間内を移動して光拡散部材から放出されるので、照射効率が良い。
【００２１】
また、光拡散部材を支持する支持部材が、第１の支持部材と第２の支持部材とに分割された構成となっているので、メンテナンス性に優れたものとなる。
【００２２】
したがって、照射効率が良く、メンテナンス性に優れ、濃度むらの少ない画像読取りを行うことができる。
【００２３】
また、本発明の走査光学ユニットは、上述した原稿照明装置を備えた走査光学ユニットであって、前記位置決め手段は、複数の嵌合穴と、該複数の嵌合穴が重ね合わされた状態で該複数の嵌合穴それぞれと嵌合する嵌合突起とで構成されることを特徴とする。
【００２４】
この構成により、第２の支持部材および光拡散部材を第１の支持部材から一体的に取り外して、光源および導光部材に簡単にアクセスすることができるので、メンテナンス性に優れたものとなる。
【００２５】
したがって、照射効率が良く、メンテナンス性に優れ、濃度むらの少ない画像読取りを行うことができる。
【００２６】
また、本発明の走査光学ユニットは、上述した原稿照明装置を備えた走査光学ユニットであって、前記第１の支持部材に設けられた前記位置決め手段と同じ面に形成され、前記光拡散部材を前記第１の支持部材に固定する固定手段を有し、前記光拡散部材を前記第１の支持部材に固定した状態で一体的に着脱可能且つ前記第２の支持部材の前記位置決め手段に対して位置決めすることを特徴とする。
【００２７】
この構成により、読取手段を内蔵せずに反射ミラーを内蔵する構成においても、嵌合突起と嵌合穴が嵌合することにより、第１の支持部材、第２の支持部材および光拡散部材の相対的位置関係が一義的に決定されるので、照射効率が良く、メンテナンス性に優れ、濃度むらの少ない画像読取りを行うことができる。
【００２８】
また、本発明の画像読取装置は、上述した走査光学ユニットを備えた画像読取装置であって、前記原稿照明装置を副走査方向に移動させる駆動手段を備えたことを特徴とする。
【００２９】
この構成により、画像読取装置において、照射効率が良く、メンテナンス性に優れ、濃度むらの少ない画像読取りを行うことができる。
【００３０】
また、本発明の画像形成装置は、上述した画像読取装置を備えた画像形成装置であって、前記読取手段によって読み取った画像を記録媒体上に形成する画像形成手段を有することを特徴とする。
【００３１】
この構成により、画像形成装置において、照射効率が良く、メンテナンス性に優れ、濃度むらの少ない画像読取りを行うことができる。
【発明の効果】
【００３２】
本発明は、照射効率が良く、濃度むらの少ない画像読取りを行うことができる原稿照明装置、走査光学ユニット、画像読取装置および画像形成装置を提供することができる。
【図面の簡単な説明】
【００３３】
【図１】本発明に係る原稿照明装置、走査光学ユニット、画像読取装置および画像形成装置の第１の実施の形態を示す図であり、カラー複写機の概略構成図である。
【図２】本発明に係る原稿照明装置、走査光学ユニット、画像読取装置および画像形成装置の第１の実施の形態を示す図であり、画像読取装置の概略斜視図である。
【図３】本発明に係る原稿照明装置、走査光学ユニット、画像読取装置および画像形成装置の第１の実施の形態を示す図であり、走査光学ユニットの断面図である。
【図４】本発明に係る原稿照明装置、走査光学ユニット、画像読取装置および画像形成装置の第１の実施の形態を示す図であり、ＬＥＤユニットの斜視図である。
【図５】本発明に係る原稿照明装置、走査光学ユニット、画像読取装置および画像形成装置の第１の実施の形態を示す図であり、原稿照明装置の斜視図である。
【図６】本発明に係る原稿照明装置、走査光学ユニット、画像読取装置および画像形成装置の第１の実施の形態を示す図であり、原稿照明装置の断面図である。
【図７】本発明に係る原稿照明装置、走査光学ユニット、画像読取装置および画像形成装置の第１の実施の形態を示す図であり、原稿照明装置の端部の拡大図である。
【図８】本発明に係る原稿照明装置、走査光学ユニット、画像読取装置および画像形成装置の第２の実施の形態を示す図であり、走査光学ユニットの斜視図である。
【図９】本発明に係る原稿照明装置、走査光学ユニット、画像読取装置および画像形成装置の第２の実施の形態を示す図であり、走査光学ユニットの断面図である。
【図１０】本発明に係る原稿照明装置、走査光学ユニット、画像読取装置および画像形成装置の第３の実施の形態を示す図であり、画像読取装置の断面図である。
【図１１】本発明に係る原稿照明装置、走査光学ユニット、画像読取装置および画像形成装置の他の形態を示す図であり、走査光学ユニットの断面図である。
【図１２】従来の原稿照明装置の拡散面が適切な位置にあるときの状態を示す断面図である。
【図１３】従来の原稿照明装置の拡散面が不適切な位置に変位したときの状態を示す断面図である。
【発明を実施するための最良の形態】
【００３４】
以下、本発明の実施の形態について、図面を用いて説明する。
（第１の実施の形態）
図１〜図７は、本発明に係る原稿照明装置、走査光学ユニット、画像読取装置および画像形成装置の第１の実施の形態を示す図である。なお、画像読取装置は、イメージスキャナに適用してもよく、画像形成装置としては、イメージスキャナを有する複写機やファクシミリ装置、複写機能とファクシミリ機能等を備えた複合機等に適用することができる。
【００３５】
まず、構成を説明する。
【００３６】
図１において、画像形成装置としてのカラー複写機１は、自動原稿搬送部（以下、ＡＤＦともいう）２と、給紙部３と、画像読取装置４と、画像形成部５とを含んで構成されている。
【００３７】
ＡＤＦ２は、原稿トレイ１１と、原稿トレイ１１に載置された原稿束から原稿を１枚ずつ分離してコンタクトガラス７に向かって搬送する各種ローラ等からなる給紙部１３とを備えている。
【００３８】
ＡＤＦ２は、給紙部１３によって分離された原稿をコンタクトガラス７上に搬送する搬送ベルト８を備えている。また、ＡＤＦ２は、各種ローラ等からなる排紙部９を備えており、コンタクトガラス７上の原稿が画像読取装置４によって読み取られると、搬送ベルト８によってコンタクトガラス７から排紙される原稿は、排紙部９によって原稿トレイ１１の下方の排紙トレイ１２に排紙されるようになっている。また、ＡＤＦ２は、画像読取装置４に対して図示しないヒンジ等の開閉機構を介して開閉自在に取付けられている。
【００３９】
給紙部３は、用紙サイズの異なる記録媒体としての記録紙を収納する給紙カセット２１、２２と、給紙カセット２１、２２に収納された記録紙を画像形成部５の画像形成位置まで搬送する各種ローラからなる給紙手段２３とを備えている。
【００４０】
画像読取装置４は、図２に示すように、画像読取装置４の筐体４ａ内に走査光学ユニット４０を備えており、この走査光学ユニット４０は、後述するＬＥＤユニット４４から主走査方向（図２の矢印Ａ方向）に光を照射するとともに、画像読取装置４に備えられる図示しない駆動手段によって全照射領域Ｗ内において副走査方向（図１、図２の矢印Ｂ方向）に走査（移動）されることによって、原稿の２次元カラー画像を読み取るようになっている。また、コンタクトガラス７は、画像読取装置４の筐体４ａの上部に設けられており、筐体４ａの上面を構成している。
【００４１】
なお、駆動手段は、走査光学ユニット４０に固定されたワイヤ、ワイヤに橋架される複数の従動プーリおよび駆動プーリと、駆動プーリを回転させるモータ等によって構成されるものであり、公知であるため、図示省略する。
【００４２】
画像形成部５は、画像形成手段を構成するものであり、露光装置３１と、複数の感光体ドラム３２と、各感光体ドラム３２の周囲に設置された異なる色（シアン（Ｃ）、イエロー（Ｙ）、マゼンタ（Ｍ）、ブラック（Ｂｋ））のトナーを有する現像装置３３と、転写ベルト３４と、定着装置３５とを備えている。
【００４３】
画像形成部５は、画像読取装置４によって読み取られて色別分解された画情報に基づいて複数の感光体ドラム３２に色分けして画像を形成し、給紙部３から供給された記録紙に感光体ドラム３２上のトナーを重ね合わせて転写した後、定着装置３５により記録紙に転写されたトナー画像のトナーを溶融して、記録紙にカラー画像を定着するようになっている。
【００４４】
また、カラー複写機１は、図示しない画像送受信装置によって読み取った画像を相手先の装置に送信する機能も備えている。
【００４５】
次に、図３〜図７に基づいて走査光学ユニット４０の構成を説明する。
【００４６】
図３に示すように、走査光学ユニット４０は、筐体４１と、筐体４１に着脱自在に設けられ、ＬＥＤパッケージ４６からの光を導く反射部４８、４９を支持する第１の支持部材としての遮蔽部材４２と、遮蔽部材４２に着脱自在に設けられるとともに、遮蔽部材４２との間に原稿Ｐの照射領域Ｗ１にＬＥＤパッケージ４６から照射を行うための開口４３ａを形成し、ＬＥＤパッケージ４６からの光を導く反射部４７を支持する第２の支持部材としてのカバー部材４３とを備えている。ここで、開口４３ａとは、カバー部材４３を遮蔽部材４２に取付けたとき、カバー部材４３の先端４３ｃと遮蔽部材４２の内側部４２ｄとで形成されるものをいう。なお、筐体４１、遮蔽部材４２およびカバー部材４３は、それぞれ樹脂製である。なお、カバー部材４３および遮蔽部材４２は支持部材を構成している。
【００４７】
また、遮蔽部材４２とカバー部材４３には光源としてのＬＥＤユニット４４が取付けられており、このＬＥＤユニット４４は、図４に示すように、ＬＥＤ基板４５上に発光素子である複数（本実施の形態では７個）のＬＥＤパッケージ４６が主走査方向に略直線状に配置されたものから構成されている。
【００４８】
本実施の形態のＬＥＤパッケージ４６は、所謂、トップビュータイプと称されるものであり、出射面がＬＥＤ基板４５の実装面と同じ方向になっている。
【００４９】
このトップビュータイプのＬＥＤパッケージ４６は、発光強度分布に指向性を有し、出射光の強度分布は、出射角に対して発光面の直交方向を基準とするランバートの余弦則に倣う強度分布（ランバート分布と呼ぶ）を有している。なお、図３は、走査光学ユニット４０の断面図であるので、１つのＬＥＤパッケージ４６のみが示されている。
【００５０】
図３において、カバー部材４３の下面には、ＬＥＤパッケージ４６からの光またはＬＥＤパッケージ４６からの光が反射部４８で反射された光を導く導光部材として反射部４７が設けられており、カバー部材４３に対向する遮蔽部材４２の上面にはＬＥＤパッケージ４６からの光またはＬＥＤパッケージ４６からの光が反射部４７で反射された光を導く導光部材として反射部４８、４９が設けられている。
【００５１】
すなわち、反射部４７は、カバー部材４３の下面である対向面（第２の対向面）４３ｂに設けられており、反射部４８、４９は、カバー部材４３の対向面４３ｂに対向する遮蔽部材４２の上面である対向面（第１の対向面）４２ａに設けられている。
【００５２】
一方、カバー部材４３の先端４３ｃの上面には光拡散部材としてのシート状部材からなる光拡散シート８１の一端部が取付けられており、この光拡散シート８１の他端部８１ｂは、遮蔽部材４２の穴４２ｃに取り付けられている。
【００５３】
この光拡散シート８１は、主走査方向においては反射部４７および反射部４８の幅よりも大きい幅を有しており、筐体４１内を、ＬＥＤユニット４４および反射部４８、４９が収納された第１の空間５７と反射部４９が収納された第２の空間８２とに区画している。
【００５４】
図５、図７に示すように、光拡散シート８１には、下方に突出する凸部８１ｄが形成されており、この凸部８１ｄは、カバー部材４３の上部に形成された凹部４３ｇ内の上面において、接着剤や両面テープ等によって固定されている。これは、カバー部材４３の表面において、光拡散シート８１の凸部８１ｄが接着剤や両面テープ等の厚み分だけ上側に突出するのを防ぐためである。また、凹部４３ｇは、辺Ａ、Ｂ、Ｃによりコ字状をなし、辺Ａ、Ｂ、Ｃで形成される面の全てに隙間を空けて、光拡散シート８１の凸部８１ｄが嵌合している。すなわち、光拡散シートの凸部８１ｄとカバー部材４３の凹部４３ｇとの間は、いわゆる隙間嵌めの状態となっている。これは、光拡散シート８１は後述する位置決め部１３０によって位置が決まるので、光拡散シート８１とカバー部材４３が、その公差ばらつきによって干渉することを防ぐためである。
【００５５】
図５に示すように、遮蔽部材４２、カバー部材４３、光拡散シート８１の主走査方向両端部には、これら３つの部材同士を一義的に位置決めするための共通の位置決め部１３０が設けられている。
【００５６】
具体的には、図５のＡ−Ａ断面図である図６、および位置決め部１３０の近傍の斜視図である図７に示すように、遮蔽部材４２の上面の主走査方向両端部の位置決め部１３０に相当する位置には、円筒形状の嵌合突起４２ｔがそれぞれ設けられている。また、カバー部材４３の主走査方向両端部の位置決め部１３０に相当する位置には、円形の嵌合穴４３ｈがそれぞれ設けられ、光拡散シート８１の主走査方向両端部の位置決め部１３０に相当する位置には、円形の嵌合穴８１ｈがそれぞれ設けられている。したがって、遮蔽部材４２の嵌合突起４２ｔに、カバー部材４３の嵌合穴４３ｈ、および光拡散シート８１の嵌合穴８１ｈを嵌合することにより、遮蔽部材４２、カバー部材４３、光拡散シート８１の組み付けを行うときに、これらの相互の位置関係が一義的に定まる。これらの嵌合突起４２ｔおよび嵌合穴４３ｈ、８１ｈは、本発明における位置決め手段を構成する。
【００５７】
なお、遮蔽部材４２、カバー部材４３および光拡散シート８１に対して、嵌合突起または嵌合穴の何れを形成するかは、上記の通りでなくともよく、例えば、光拡散シート８１に嵌合突起を形成するとともに、遮蔽部材４２とカバー部材４３に嵌合穴をそれぞれ形成して、これら嵌合突起と嵌合穴を嵌合させるようにしてもよい。または、カバー部材４３の上面から上方に延設する突起と下面から下方に延設する突起を同軸上に形成し、遮蔽部材４２とカバー部材４３に嵌合穴をそれぞれ形成して、これら嵌合突起と嵌合穴を嵌合させるようにしてもよい。すなわち、遮蔽部材４２、カバー部材４３および光拡散シート８１の何れか１つの部材に嵌合突起を形成し、遮蔽部材４２、カバー部材４３および光拡散シート８１の残りの部材に嵌合穴を形成するようにしてもよい。
【００５８】
または、上記形態に限らず、遮蔽部材４２、カバー部材４３および光拡散シート８１に嵌合穴を形成し、これら嵌合穴の位置を合わせた上で、嵌合ピンを嵌め合わせる形態でも構わない。すなわち遮蔽部材４２、カバー部材４３および光拡散シート８１を共通の位置決め手段により位置決めするようにしてもよい。
【００５９】
図３に示すように、光拡散シート８１の他端部には複数（本実施の形態では３つ）の係合突起８１ｂが設けられている。この係合突起８１ｂは、主走査方向の両端部とほぼ中央に形成されており、係合突起８１ｂに対応する位置に設けられた遮蔽部材４２の３つの穴４２ｃに係合されることで、嵌合突起４２ｔと嵌合穴４３ｈ、８１ｈの嵌合とともに、遮蔽部材４２、カバー部材４３、光拡散シート８１の相互の位置関係が一義的に決定されるようになっている。ここで、光拡散シート８１の係合突起８１ｂと遮蔽部材４２の穴４２ｃは、必ずしも設ける必要はなく、遮蔽部材４２、カバー部材４３、光拡散シート８１の相互の位置関係は、嵌合突起４２ｔと嵌合穴４３ｈ、８１ｈの嵌合が主体となって一義的に決定され、この嵌合による位置決定を補助するためのものとして、係合突起８１ｂと穴４２ｃが設けられている。
【００６０】
本実施の形態のカバー部材４３が遮蔽部材４２に着脱される際には、カバー部材４３に光拡散シート８１が固定された状態で、カバー部材４３および光拡散シート８１が遮蔽部材４２に一体的に着脱されるようになっている。したがって、光拡散シート８１がカバー部材４３および遮蔽部材４２と位置決めされた状態で固定された後は、光拡散シート８１の嵌合穴８１ｈとカバー部材４３の嵌合穴４３ｈとの位置が決まった状態で一体的に着脱できるので、遮蔽部材４２の嵌合突起４２ｔに対する嵌合作業は、カバー部材４３の嵌合穴４３ｈを嵌合突起４２ｔに合わせれば、自動的に光拡散シート８１の嵌合穴８１ｈとも位置決めされるので、作業が簡単になる。
【００６１】
また、ＬＥＤユニット４４は、遮蔽部材４２およびカバー部材４３の間で、ＬＥＤパッケージ４６からの出射光の中心光軸が略水平に向くような方向にＬＥＤ基板４５が配置されており、このＬＥＤ基板４５は、カバー部材４３の対向面４３ｂに設けられた嵌合部としての位置決め用の溝５０と、遮蔽部材４２の対向面４２ａに設けられた嵌合部としての位置決め用の溝５１とその上下端部が嵌合されることにより、ＬＥＤパッケージ４６の位置が一義的に決定されている。
【００６２】
また、ＬＥＤユニット４４は、ＬＥＤ基板４５が溝５０、５１に嵌合されることにより、遮蔽部材４２およびカバー部材４３に挟持され、また、ＬＥＤ基板４５が溝５０、５１から抜け出ることにより、遮蔽部材４２およびカバー部材４３から取り外されるようになっている。すなわち、ＬＥＤユニット４４は、遮蔽部材４２およびカバー部材４３に対して着脱自在となっている。
【００６３】
また、カバー部材４３は、外部から走査光学ユニット４０に進入する外乱光を防ぐために設けられており、対向面４３ｂに設けられた反射部４７によってＬＥＤパッケージ４６から照射された光が反射部４９に導かれるようになっている。
【００６４】
本実施の形態の反射部４７〜４９は、遮蔽部材４２およびカバー部材４３の対向面４２ａ、４３ｂの形状に沿った反射面形状に成型された母材の表面にアルミ箔等の反射シートを接着させるようにして構成されている。
【００６５】
なお、反射部４７〜４９は、反射面に成型された母材の表面にアルミを蒸着することにより構成してもよいし、反射面に反射材を練り込んだ塗装を施したものから構成したり、反射材料によるメッキを施すことにより構成してもよい。
【００６６】
また、光拡散シート８１は、光を拡散する作用があるものであれば、どのようなタイプでも構わない。例えば、第１の空間５７側のシート面に拡散作用を有するように構成したものや、第２の空間８２側のシート面に拡散作用を有するように構成したもの、あるいは、光拡散シート８１の内部で拡散作用を有する構成にしたものであってもよい。
【００６７】
本実施の形態では、突起５２ａ、５２ｂを穴５３ａ、５３ｂに嵌合することにより、遮蔽部材４２とカバー部材４３との相対的な位置決めを行うことができるため、遮蔽部材４２およびカバー部材４３のそれぞれに設けられたＬＥＤ基板４５の位置決め用の溝５０、５１をコンタクトガラス７面に対して直角の方向になるように配置することができ、ＬＥＤ基板４５を垂直に保持することができる。このため、発光面をＬＥＤ基板４５と平行に配置されたＬＥＤパッケージ４６から出射した光の中心光軸を水平方向に指向させることができる。
【００６８】
このように発光面をＬＥＤパッケージ４６から出射した光の中心光軸を水平方向に指向させることができるため、ＬＥＤパッケージ４６から出射された照明光は、ある角度で広がりながら略水平方向に進行する。
【００６９】
遮蔽部材４２の反射部４８によって反射させられたＬＥＤパッケージ４６の照明光は、光拡散シート８１を通してさらにある角度で広がりながら図３において原稿Ｐの照射領域Ｗ１に対して左側から照射されるようになっており、光拡散シート８１を通してある角度で広がった後、カバー部材４３の反射部４７で反射させられた照明光は、遮蔽部材４２の反射部４９でさらに反射し、もしくは、直接ＬＥＤパッケージ４６から反射部４９に到達して反射する光も照射領域Ｗ１に対して図３の右側から照射される。
【００７０】
なお、照射領域Ｗ１は、コンタクトガラス７上のある一定範囲である。また、図３において、照射領域Ｗ１に対して右側を走査方向の前側とし、照射領域Ｗ１に対して左側を走査方向の後側とすると、本実施の形態では、上述した反射部４７〜４９から照明作用により、照射領域Ｗ１に対して副走査方向の前後方向から光が略均等に照射されることになり、立体物の原稿や切り貼りされた原稿等も影が出ないようにすることができる。
【００７１】
したがって、カバー部材４３および遮蔽部材４２の形状は、ＬＥＤパッケージ４６から照射される光を照射領域Ｗ１に対して副走査方向に一定の照度分布で導くように設計された折り曲げ形状となっている。
【００７２】
すなわち、本実施の走査光学ユニット４０は、筐体４１に設けられ、発光するＬＥＤユニット４４と、ＬＥＤパッケージ４６からの光を原稿Ｐの照射領域Ｗ１に照射する反射部４７と、ある一定の角度で光を広がらせる光拡散シート８１を有するカバー部材４３と、ＬＥＤパッケージ４６からの光を原稿Ｐの照射領域Ｗ１に照射する反射部４８、４９を有する遮蔽部材４２とからなる原稿照明装置としての原稿照明部５６を備えたものとなる。
【００７３】
また、遮蔽部材４２は、筐体４１に着脱自在に設けられており、図３に示すように、筐体４１内を、ＬＥＤユニット４４が設けられた第１の空間５７および第２の空間８２と、第１の空間５７の下方に位置し、画像読取部５４が設けられた第３の空間５８とに区画している。
【００７４】
すなわち、遮蔽部材４２は、筐体４１内に画像読取部５４が収納された空間としての第３の空間５８が画成されるように原稿照明部５６と画像読取部５４とを隔離している。
【００７５】
この遮蔽部材４２の対向面４２ａは、画像読取部５４の底面を構成するものであり、遮蔽部材４２は、第３の空間５８に原稿Ｐからの反射光以外の照明光が進入しないように第１の空間５７および第２の空間８２から遮断する（隔離する）機能を有しており、原稿照明部５６の下方を覆うとともに、筐体４１との間で隙間が生じないように筐体４１に取付けられている。
【００７６】
本実施の形態では、反射部４７を第１の空間５７および第２の空間８２に対向するカバー部材４３の対向面４３ｂに設けるとともに、反射部４８、４９を第１の空間５７および第２の空間８２に対向する遮蔽部材４２の対向面４２ａに設けることで、第３の空間５８と隔離された第１の空間５７および第２の空間８２を画成することができる。
【００７７】
また、図３に示すように、遮蔽部材４２には主走査方向に延在するスリット５９が形成されており、このスリット５９は、ＬＥＤユニット４４から遠く離れて位置している（図３中、右方）。
【００７８】
また、スリット５９は、反射部４８および反射部４９の間に位置するようにして設けられており、原稿Ｐからの反射光（原稿像の光）を第１の空間５７から第２の空間８２を通して第３の空間５８に導くようになっている
また、スリット５９は、上下方向に開口しており、開口の高さはＬＥＤパッケージ４６の中心よりも高い位置、すなわち、原稿Ｐに近い位置に設けられている。このため、ＬＥＤパッケージ４６からの照射光を第１の空間５７から第２の空間８２を通して第３の空間５８に進入し難くして、原稿Ｐからの反射光のみを第３の空間５８に導くことができる。
【００７９】
なお、反射部４８、４９を除いたスリット５９の近傍の遮蔽部材４２の表面４２ｆやスリット５９内の垂直方向の内周側面は、反射率の低い表面処理または、黒色に構成されており、反射部４８、４９を除いた遮蔽部材４２の対向面４２ａで光を反射し難くしている。
【００８０】
一方、図３において、第３の空間５８に位置する筐体４１には反射ミラー６０ａ〜６０ｅ、結像レンズ６１および撮像素子としてのＣＣＤ（Ｃｈａｒｇｅ  Ｃｏｕｐｌｅｄ  Ｄｅｖｉｃｅ）６３が設けられており、これら反射ミラー６０ａ〜６０ｅ、結像レンズ６１およびＣＣＤ６３は、読取手段としての画像読取部５４を構成している。
【００８１】
反射ミラー６０ａ〜６０ｅは、ＬＥＤユニット４４から反射部４７〜４９を介して原稿Ｐの照射領域Ｗ１が照射されたときに、照射領域Ｗ１における原稿Ｐのライン上（主走査方向）の反射光Ｌ、すなわち、読取光軸が遮蔽部材４２のスリット５９を介して第３の空間５８に導かれると、反射ミラー６０ａ、６０ｂ、６０ｃ、６０ｄ、６０ｅの順に反射するようになっている。したがって、反射ミラー６０ａ〜６０ｅは、反射光Ｌを結像レンズ６１に導くように筐体４１の所定個所に取付けられている。
【００８２】
この結像レンズ６１は、筐体４１の底部に取付けられており、反射ミラー６０ｅによって反射された光を結像させるようになっている。ＣＣＤ６３は、結像レンズ６１の結像位置に配置されるように筐体４１の副走査方向一側面に取付けられており、原稿Ｐの画像を読み取るようになっている。本実施の形態のＣＣＤ６３は、Ｒ（赤）、Ｇ（緑）、Ｂ（青）の各色毎に設けられており、カラー画像の読取りを行うことができる。
【００８３】
このＣＣＤ６３は、ＳＢＵ（スキャナボードユニット）６４上に配置されており、このＳＢＵ６４は、筐体４１の副走査方向一側面に取付けられている。このＳＢＵ６４にはＣＣＤ６３の他にＩＣチップやチップコンデンサ等の電子部品が実装されており、ＣＣＤ６３によって読み取られた原稿Ｐの画像を処理し、露光装置３１に送信するようになっている。
【００８４】
次に、筐体４１の構成、筐体４１と遮蔽部材４２およびカバー部材４３との位置関係を説明する。
【００８５】
まず、ＬＥＤユニット４４、反射部４７〜４９のメンテナンスを行う場合には、カバー部材４３を上方に持ち上げることにより、光拡散シート８１の嵌合穴８１ｈおよびカバー部材４３の嵌合穴４３ｈを遮蔽部材４２の嵌合突起４２ｔから抜き出して、カバー部材４３および光拡散シート８１を一体的に遮蔽部材４２から取り外す。
【００８６】
このとき、位置決め用の溝５０がＬＥＤユニット４４から外れるため、外部に開放されたＬＥＤユニット４４を位置決め用の溝５１から抜き出すことにより、ＬＥＤユニット４４を遮蔽部材４２から取り外す。
【００８７】
ＬＥＤユニット４４および反射部４７〜４９のメンテナンスが終了してカバー部材４３を遮蔽部材４２に組み付ける場合には、ＬＥＤユニット４４を溝５１に嵌合させた後、光拡散シート８１の嵌合穴８１ｈおよびカバー部材４３の嵌合穴４３ｈを遮蔽部材４２の嵌合突起４２ｔに嵌合させて、カバー部材４３および遮蔽部材４２を一体化する。
【００８８】
また、カバー部材４３の嵌合穴４３ｈを遮蔽部材４２の嵌合突起４２ｔに嵌合させたときに、カバー部材４３の溝５０にＬＥＤユニット４４が嵌合されるため、ＬＥＤユニット４４がカバー部材４３および遮蔽部材４２に挟持されるようにしてカバー部材４３および遮蔽部材４２に取付けられる。
【００８９】
また、図５、図７に示すように、カバー部材４３の主走査方向の両端部にはネジ挿通孔４３ｆがそれぞれ形成されており、図示しないネジをネジ挿通孔４３ｆに挿し通して螺合することにより、カバー部材４３と筐体４１との間に遮蔽部材４２が挟持された状態で、カバー部材４３が筐体４１に固定されるようになっている。
【００９０】
このように本実施の形態では、反射部４７が取付けられる対向面４３ｂを有する第２の支持部材としてのカバー部材４３と、カバー部材４３に対して分割されるとともにカバー部材４３に着脱自在に設けられ、カバー部材４３の対向面４３ｂに対向して反射部４８、４９が取付けられた対向面４２ａを有する第１の支持部材としての遮蔽部材４２とを備え、遮蔽部材４２、カバー部材４３および光拡散部材８１の何れか１つの部材に形成された嵌合突起と、遮蔽部材４２、カバー部材４３および光拡散シート８１の残りの部材にそれぞれ形成され嵌合突起と嵌合する嵌合穴とを有し、嵌合突起と嵌合穴が嵌合することにより、遮蔽部材４２、カバー部材４３および光拡散シート８１の相対的位置を一義的に決定している。
【００９１】
このため、組付け時には、遮蔽部材４２、カバー部材４３および光拡散シート８１の嵌合突起および嵌合穴を嵌合することにより、遮蔽部材４２、カバー部材４３および光拡散シート８１の相対的位置関係が一義的に決定されるので、図１２に示すように、照射領域Ｗ１において照明リップルを抑制して副走査方向の均一な照度分布１２５を得ることができ、濃度むらの少ない画像読取りを行うことができる。
【００９２】
また、ＬＥＤユニット４４からの光が、遮蔽部材４２とカバー部材４３とにより閉じられた空間内を移動して光拡散シート８１から放出されるので、照射効率が良い。
【００９３】
また、光拡散シート８１を支持する支持部材が、遮蔽部材４２とカバー部材４３との分割された構成となっており、更に、カバー部材４３と光拡散シート８１を遮蔽部材４２から一体的に取り外して、ＬＥＤユニット４４および反射部４７〜４９に簡単にアクセスすることができるので、メンテナンス性に優れたものとなる。
【００９４】
したがって、照射効率が良く、メンテナンス性に優れ、濃度むらの少ない画像読取りを行うことができる。
【００９５】
また、本実施の形態では、前述の走査光学ユニット４０を備えた画像読取装置４であって、原稿照明装置としての原稿照明部５６を副走査方向に移動させる駆動手段を備えた構成を有している。
【００９６】
このため、画像読取装置４において、照射効率が良く、メンテナンス性に優れ、濃度むらの少ない画像読取りを行うことができる。
【００９７】
また、本実施の形態では、前述の画像読取装置４を備えた画像形成装置としてのカラー複写機１であって、読取手段としてのＣＣＤ６３によって読み取った画像を記録媒体上に形成する画像形成部５を有している。
【００９８】
このため、画像形成装置としてのカラー複写機１において、照射効率が良く、メンテナンス性に優れ、濃度むらの少ない画像読取りを行うことができる。
（第２の実施の形態）
図８、図９は、本発明に係る原稿照明装置、走査光学ユニット、画像読取装置および画像形成装置の第２の実施の形態を示す図であり、本実施の形態では、位置決め手段の具体的構成が第１の実施の形態と異なるのみであり、第１の実施の形態と同一の構成には同一番号を付して説明を省略する。
【００９９】
図８に示すように、走査光学ユニット４０の遮蔽部材４２、カバー部材４３、光拡散シート８１の主走査方向両端部には、これら３つの部材同士を一義的に位置決めするための共通の位置決め部１４０が設けられている。
【０１００】
具体的には、図８のＢ−Ｂ断面図である図９に示すように、遮蔽部材４２の上面の主走査方向両端部の位置決め部１４０に相当する位置には、円筒形状の嵌合突起４２ｔがそれぞれ設けられている。走査光学ユニット４０の筺体４１の上面の主走査方向両端部の位置決め部１４０に相当する位置には、嵌合突起４１ｔがそれぞれ設けられている。また、遮蔽部材４２の主走査方向両端部の位置決め部１４０に相当する位置には、嵌合穴４２ｈがそれぞれ設けられている。また、第１の実施の形態と同様に、カバー部材４３の主走査方向両端部の位置決め部１４０に相当する位置には、嵌合穴４３ｈがそれぞれ設けられ、光拡散シート８１の主走査方向両端部の位置決め部１４０に相当する位置には、嵌合穴８１ｈがそれぞれ設けられている。したがって、筺体４１の嵌合突起４１ｔに、遮蔽部材４２の嵌合穴４２ｈ、カバー部材４３の嵌合穴４３ｈ、光拡散シート８１の嵌合穴８１ｈをそれぞれ嵌合することにより、筺体４１、遮蔽部材４２、カバー部材４３、光拡散シート８１の組み付けを行うときに、これらの相互の位置関係が一義的に定まる。これらの嵌合突起４１ｔ、嵌合穴４２ｈ、４３ｈ、８１ｈは、本発明における位置決め手段を構成する。
【０１０１】
すなわち、第２の実施の形態では、第１の実施の形態と異なり、筺体４１に嵌合突起４１ｔが形成されるとともに、この嵌合突起４１ｔも位置決め手段に含まれる構成となっており、遮蔽部材４２には、第１の実施の形態での嵌合突起４２ｔに代わって、筺体４１の嵌合突起４１ｔが嵌合する嵌合穴４２ｈが形成されている。
【０１０２】
走査光学ユニット４０の筺体４１の内部には、図３に示したように、反射ミラー６０ａ〜６０ｅ、結像レンズ６１およびＣＣＤ６３が設けられている。
【０１０３】
なお、遮蔽部材４２、カバー部材４３、光拡散シート８１および筺体４１に対して、嵌合突起または嵌合穴の何れを形成するかは、上記の通りでなくともよく、例えば、光拡散シート８１に嵌合突起を形成するとともに、遮蔽部材４２、カバー部材４３および筺体４１に嵌合穴をそれぞれ形成して、これら嵌合突起と嵌合穴を嵌合させるようにしてもよい。すなわち、遮蔽部材４２、カバー部材４３、光拡散シート８１および筺体４１の何れか１つの部材に嵌合突起を形成し、遮蔽部材４２、カバー部材４３、光拡散シート８１および筺体４１の残りの部材に嵌合穴を形成するようにしてもよい。
【０１０４】
このように、本実施の形態では、原稿照明装置としての原稿照明部５６が着脱自在に取付けられるとともに、原稿から反射された光を読み取るＣＣＤ６３を内蔵し、原稿の副走査方向に移動自在な筐体４１を備え、第１の支持部材としての遮蔽部材４２、第２の支持部材としてのカバー部材４３、光拡散部材８１および筐体４１の何れか１つの部材に形成された嵌合突起と、遮蔽部材４２、カバー部材４３、光拡散部材８１および筐体４１の残りの部材にそれぞれ形成され嵌合突起と嵌合する嵌合穴とを有し、遮蔽部材４２、カバー部材４３、光拡散部材８１および筐体４１の相対的位置を一義的に決定するようになっている。
【０１０５】
このため、組付け時には、遮蔽部材４２、カバー部材４３、光拡散シート８１および筐体４１の嵌合突起および嵌合穴を嵌合することにより、遮蔽部材４２、カバー部材４３、光拡散シート８１および筐体４１の相対的位置関係が一義的に決定され、筺体４１内の反射ミラー６０ａ〜６０ｅ、結像レンズ６１およびＣＣＤ６３に対する遮蔽部材４２、カバー部材４３および光拡散シート８１の相対的位置関係も精度良く位置決めすることができるので、照射領域Ｗ１において照明リップルを抑制して副走査方向の均一な照度分布１０５を得ることができ、濃度むらの少ない画像読取りを行うことができる。
【０１０６】
また、ＬＥＤユニット４４からの光が、遮蔽部材４２とカバー部材４３とにより閉じられた空間内を移動して光拡散シート８１から放出されるので、照射効率が良い。
【０１０７】
また、光拡散シート８１を支持する支持部材が、遮蔽部材４２とカバー部材４３との分割された構成となっており、更に、カバー部材４３と光拡散シート８１を遮蔽部材４２から一体的に取り外して、ＬＥＤユニット４４および反射部４７〜４９に簡単にアクセスすることができるので、メンテナンス性に優れたものとなる。
【０１０８】
したがって、照射効率が良く、メンテナンス性に優れ、濃度むらの少ない画像読取りを行うことができる。
（第３の実施の形態）
図１０は、本発明に係る原稿照明装置、走査光学ユニット、画像読取装置および画像形成装置の第３の実施の形態を示す図であり、本実施の形態では、原稿照明装置を除いた画像読取装置の構成が第１の実施の形態と異なるのみであり、第１の実施の形態と同一の構成には同一番号を付して説明を省略する。
【０１０９】
図１０において、画像読取装置４は、筐体４ａ内に、走査光学ユニットを構成し、矢印Ｂで示すように副走査方向に一定の速度で移動する第１の走行体１０１と、矢印Ｂで示す副走査方向に第１の走行体１０１の半分の速度で走行する第２の走行体１０６と、筐体４ａに固定された結像レンズ１０７と、筐体４ａに固定されたＣＣＤ１０８とを備えている。
【０１１０】
第１の走行体１０１には、筐体１０２に第１の実施の形態および第２の実施の形態と同様の構成を有する原稿照明装置としての原稿照明部５６が着脱自在に設けられている。また、遮蔽部材４２は、筐体１０２内をＬＥＤユニット４４が設けられ、光拡散シート８１によって画成される第１の空間５７および第２の空間８２と、第１の空間５７および第２の空間８２の下方に位置し、反射ミラー１０３が設けられた第３の空間５８とに隔離している。光拡散シート８１は、カバー部材４３に接着剤等によって固定されている。
【０１１１】
すなわち、遮蔽部材４２は、筐体１０２内に反射ミラー１０３が収納された空間としての第２の空間８２が画成されるように原稿照明部５６と反射ミラー１０３とを隔離している。
【０１１２】
そして、原稿Ｐからの反射光がスリット５９を通して第１の空間５７から第２の空間８２を通してから第３の空間５８に導かれ、反射ミラー１０３で結像光が反射されるようになっている。また、第２の走行体１０６内には、反射ミラー１０４、１０５が取付けられており、この反射ミラー１０４、１０５は、反射ミラー１０３から反射された光を結像レンズ１０７に反射するようになっている。
【０１１３】
結像レンズ１０７は、反射ミラー１０５から反射された光を撮像素子としてのＣＣＤ１０８に結像するようになっている。ＣＣＤ１０８は、結像位置に設けられており、結像レンズ１０７によって結像された光を読み取るようになっている。本実施の形態では、反射ミラー１０３〜１０５、結像レンズ１０７およびＣＣＤ１０８が読取手段を構成している。
【０１１４】
本実施の形態においては、第１の走行体１０１の筐体１０２を第１の実施の形態における筐体４１と見なすことができる。そして、第１の実施の形態および第２の実施の形態との差異は、筺体４１に相当する筐体１０２の外部に、反射ミラー１０４、１０５、結像レンズ１０７、ＣＣＤ１０８を配置した構成となっていることである。
【０１１５】
このように、本実施の形態では、少なくとも原稿から反射された光をＣＣＤ１０８に向かって反射する反射ミラー１０３を内蔵し、原稿の副走査方向に移動自在な筐体１０２を備え、遮蔽部材４２、カバー部材４３、光拡散シート８１および筐体１０２の何れか１つの部材に形成された嵌合突起と、遮蔽部材４２、カバー部材４３、光拡散シート８１および筐体１０２の残りの部材にそれぞれ形成され嵌合突起と嵌合する嵌合穴とを有し、遮蔽部材４２、カバー部材４３、光拡散シート８１および筐体１０２の相対的位置を一義的に決定するように構成されている。
【０１１６】
このため、本実施の形態のような画像読取装置４の構成においても、第１の実施の形態のように、嵌合突起と嵌合穴が嵌合することにより、遮蔽部材４２、カバー部材４３および光拡散シート８１の相対的位置を一義的に決定したり、または、第２の実施の形態のように、嵌合突起と嵌合穴が嵌合することにより、遮蔽部材４２、カバー部材４３、光拡散シート８１および筺体１０２の相対的位置を一義的に決定し、照射効率が良く、メンテナンス性に優れ、濃度むらの少ない画像読取りを行うことができる。
【０１１７】
なお、上記第１乃至第３の実施の形態では、原稿Ｐの照射領域Ｗ１に対して両側から照射されるようにしているが、この形態に限られることはない。例えば、図１１に示すように、原稿Ｐの照射領域Ｗ１に対して片側から照射させる走査光学ユニットにも適用できる。
【産業上の利用可能性】
【０１１８】
以上のように、本発明に係る原稿照明装置、走査光学ユニット、画像読取装置および画像形成装置は、照射効率が良く、メンテナンス性に優れ、濃度むらの少ない画像読取りを行うことができるという効果を有し、原稿に光を照射する原稿照明装置、この原稿照明装置を備えた走査光学ユニット、この走査光学ユニットを備えた複写機、ファクシミリ装置、イメージスキャナ等に使用される画像読取装置およびこの画像読取装置を備えた画像形成装置等として有用である。
【符号の説明】
【０１１９】
１  カラー複写機（画像形成装置）
４  画像読取装置
５  画像形成部（画像形成手段）
４０  走査光学ユニット（走査光学ユニット）
４１  筐体
４１ｔ、４２ｔ  嵌合突起
４２  遮蔽部材（第１の支持部材）
４２ｈ、４３ｈ、８１ｈ  嵌合穴
４２ａ  対向面（第１の対向面）
４３  カバー部材（第２の支持部材）
４３ｂ  対向面（第２の対向面）
４４  ＬＥＤユニット（光源）
４７  反射部
５４  画像読取部（読取手段）
５６  原稿照明部（原稿照明装置）
５９  スリット
６０ａ〜６０ｅ、１０３〜１０５  反射ミラー（読取手段）
６１、１０７  結像レンズ（読取手段）
８１  光拡散シート（光拡散部材）
８２  第２の空間（空間）
９１  導光部材
９１ｂ  出射面（光拡散部材）
１０８  ＣＣＤ（読取手段）
Ｐ  原稿
Ｗ１  照射領域
【先行技術文献】
【特許文献】
【０１２０】
【特許文献１】特開２００６−２５３０３号公報
【特許文献２】特開２００８−２０９８７９号公報
【特許文献３】特開２００５−１５６６００号公報
【図１】
2011087122.tif 000003
【図２】
2011087122.tif 000004
【図３】
2011087122.tif 000005
【図４】
2011087122.tif 000006
【図５】
2011087122.tif 000007
【図６】
2011087122.tif 000008
【図７】
2011087122.tif 000009
【図８】
2011087122.tif 000010
【図９】
2011087122.tif 000011
【図１０】
2011087122.tif 000012
【図１１】
2011087122.tif 000013
【図１２】
2011087122.tif 000014
【図１３】
2011087122.tif 000015